(57)【要約】【課題】本発明は、伝送距離が長い複合式プラグを提供することを目的とする。【解決手段】本発明の複合式プラグは、第１プラグと、前記第１プラグと連接するベースプラグと、ケーブルと、を備える。前記第１プラグは、第１絶縁性本体と、前記第１絶縁性本体の第１端に固着される第１プラグコネクタと、前記第１絶縁性本体における第１端と反対側の第２端に固着される第１ソケットコネクタと、を有する。前記ベースプラグは、前記第１プラグを収納するための収納スペースが形成されるベース絶縁性本体と、前記ベース絶縁性本体に固着されるベースプラグコネクタと、を有する。前記第１プラグコネクタと、第１ソケットコネクタと、前記ベースプラグコネクタと、はそれぞれ、複数の電線によって、ケーブルと電気接続し、並列回路を構成する。【選択図】図３
2014082212.tif 000002
【特許請求の範囲】
【請求項１】
第１絶縁性本体と、前記第１絶縁性本体の第１端に固着される第１プラグコネクタと、前記第１絶縁性本体における第１端と反対側の第２端に固着される第１ソケットコネクタと、を有する第１プラグと、
前記第１プラグと連接し、前記第１プラグを収納するための収納スペースが形成されるベース絶縁性本体と、前記ベース絶縁性本体に固着されるベースプラグコネクタと、を有するベースプラグと、
ケーブルと、を備え、
前記第１プラグコネクタと、前記第１ソケットコネクタと、前記ベースプラグコネクタと、はそれぞれ、複数の電線によって、ケーブルと電気接続し、並列回路を構成することを特徴とする複合式プラグ。
【請求項２】
前記第１絶縁性本体には、前記電線を通過させる複数の第１貫通孔が形成され、
前記ベース絶縁性本体には、前記電線を通過させる複数のベース貫通孔が形成されることを特徴とする請求項１に記載の複合式プラグ。
【請求項３】
前記第１絶縁性本体には、前記ベース貫通孔に挿入される複数の第１柱状体が設けられ、前記複数の第１貫通孔がそれぞれ、前記複数の第１柱状体に形成されることを特徴とする請求項２に記載の複合式プラグ。
【請求項４】
前記ベース絶縁性本体には、前記第１プラグコネクタが下へ向かって回転することを阻止する阻止部が設けられ、前記収納スペースには、前記第１プラグに当接する当接部が設けられることを特徴とする請求項２または３に記載の複合式プラグ。
【請求項５】
前記複合式プラグが、第２絶縁性本体と、前記第２絶縁性本体の第１端に固着される第２プラグコネクタと、前記第２絶縁性本体における第１端と反対側の第２端に固着される第２ソケットコネクタと、を有する第２プラグを備え、
前記第１プラグコネクタと、前記第１ソケットコネクタと、前記ベースプラグコネクタと、前記第２プラグコネクタと、前記第２ソケットコネクタと、がそれぞれ、前記複数の電線と他の複数の電線によって、前記ケーブルと電気接続し、並列回路を構成することを特徴とする請求項２から４のいずれか一項に記載の複合式プラグ。
【請求項６】
前記第２絶縁性本体には、前記ベース貫通孔に挿入される複数の第２柱状体が設けられ、
前記第２柱状体には、前記他の複数の電線を通過させる複数の第２貫通孔が形成されることを特徴とする請求項５に記載の複合式プラグ。
【発明の詳細な説明】
【技術分野】
【０００１】
本発明は、複合式プラグに関し、特に、並列回路を構成する複数のコネクタを備える複合式プラグに関するものである。
【背景技術】
【０００２】
従来の複合式プラグは、第１プラグと、第２プラグと、を備える。前記第１プラグは、第１絶縁性本体と、前記第１絶縁性本体の前端に固着される第１コネクタと、を備える。前記第２プラグは、第２絶縁性本体と、前記第２絶縁性本体の後端に固着される第２コネクタと、を有する。第２絶縁性本体には、一対のスライド溝が形成される。前記第１絶縁性本体には、前記一対のスライド溝においてスライド可能なスライド柱が設けられる。前記第２コネクタが使用される時、前記第２コネクタは、異なる方向に向かって回転できる。前記第２コネクタが使用されない時、前記第２コネクタは、スライド溝とスライド柱とによって、第１絶縁性本体に取り付けられる。
【先行技術文献】
【特許文献】
【０００３】
【特許文献１】中国実用新案第２００９５９４５８号明細書
【発明の概要】
【発明が解決しようとする課題】
【０００４】
従来技術の複合式プラグの信号伝送の伝送距離は制限される。
【０００５】
そこで、本発明の目的は、信号伝送の伝送距離が長い複合式プラグを提供することにある。
【課題を解決するための手段】
【０００６】
前記目的を達成するために、本発明の複合式プラグは、第１プラグと、前記第１プラグと連接するベースプラグと、ケーブルと、を備える。前記第１プラグは、第１絶縁性本体と、前記第１絶縁性本体の第１端に固着される第１プラグコネクタと、前記第１絶縁性本体における第１端と反対側の第２端に固着される第１ソケットコネクタと、を有する。前記ベースプラグは、前記第１プラグを収納するための収納スペースが形成されるベース絶縁性本体と、前記ベース絶縁性本体に固着されるベースプラグコネクタと、を有する。前記第１プラグコネクタと、第１ソケットコネクタと、前記ベースプラグコネクタと、はそれぞれ、複数の電線によって、ケーブルと電気接続し、並列回路を構成する。
【発明の効果】
【０００７】
従来の技術と比べると、本発明は以下の長所を有する。本発明の複合式プラグの第１ソケットコネクタが他のデータ線のプラグと係合できることによって、伝送距離は増加される。前記ベースプラグコネクタと、前記第１プラグコネクタと、第１ソケットコネクタと、は、並列回路を構成する。これにより、これらのコネクタのうちの任意の二つ或いは複数のコネクタを使用できる。
【図面の簡単な説明】
【０００８】
【図１】本発明の複合式プラグの組立図である。
【図２】図１に示す複合式プラグを別の角度から見た組立図である。
【図３】図１に示す複合式プラグの分解斜視図である。
【図４】図３に示す複合式プラグを別の角度から見た分解斜視図である。
【図５】図１に示す複合式プラグの第１プラグが使用される時の斜視図である。
【図６】図１に示す複合式プラグの第１プラグが使用される時の別の斜視図である。
【発明を実施するための形態】
【０００９】
図１〜図６に示すように、本発明の複合式プラグ１００は、ベースプラグ３と、前記ベースプラグ３と連接する第１プラグ１と、第２プラグ２と、ケーブル４と、を備える。
【００１０】
前記ベースプラグ３は、スロット３１７が形成されるベース絶縁性本体３１と、ベースプラグコネクタ３２と、を有する。前記ベース絶縁性本体３１は、上ハウジング３３及び下ハウジング３４から組み立てられる。前記ベース絶縁性本体３１は、ベースプラグコネクタ３２を固着する首部３１１と、尾部３１２と、前記首部３１１と尾部３１２とを連接する一対の連結部３１３と、を備える。前記首部３１１と尾部３１２と連結部３１３とによって、収納スペース３１０が形成される。前記収納スペース３１０には、第１プラグ１と第２プラグ２とを収納する二つの収納溝３１０１が形成される。前記連結部３１３の内表面には、前記収納スペース３１０と前記スロット３１７とを連通させる複数のベース貫通孔３１４が形成される。前記上ハウジング３３には、前記収納スペース３１０に向かって突出する一方及び他方の一対の当接部３１６が設けられる。前記下ハウジング３４には、一方及び他方の一対の阻止部３１５が設けられる。
【００１１】
前記第１プラグ１は、第１絶縁性本体１１と、前記第１絶縁性本体１１の前端に固着される第１プラグコネクタ１２と、前記第１絶縁性本体１１の後端に固着される第１ソケットコネクタ１３と、を有する。前記第１絶縁性本体１１には、前記ベース貫通孔３１４に挿入される複数の第１柱状体１１１が設けられる。各第１柱状体１１１には、第１プラグコネクタ１２の電線（図示せず）と第１ソケットコネクタ１３の電線（図示せず）とを通過させて第１プラグ１から外部に出すための第１貫通孔１１１０が形成される。
【００１２】
前記第２プラグ２は、第２絶縁性本体２１と、前記第２絶縁性本体２１の前端に固着される第２プラグコネクタ２２と、前記第２絶縁性本体２１の後端に固着される第２ソケットコネクタ２３と、を有する。前記第２絶縁性本体２１には、前記ベース貫通孔３１４に挿入される複数の第２柱状体２１１が設けられる。各第２柱状体２１１には、第２プラグコネクタ２２の電線（図示せず）と第２ソケットコネクタ２３の電線（図示せず）とを通過させて第２プラグ２から外部に出すための第２貫通孔２１１０が形成される。
【００１３】
前記複合式プラグ１００を組み立てる時、まず、ベースプラグ３と、第１プラグ１と、第２プラグ２と、ケーブル４と、が、下ハウジング３４に取り付けられる。次に、上ハウジング３３が、下ハウジング３４に取り付けられる。第１プラグ１の第１柱状体１１１と第２プラグ２の第２柱状体２１１とは、ベース絶縁性本体３１のベース貫通孔３１４に収納される。前記第１プラグコネクタ１２の電線及び前記第１ソケットコネクタ１３の電線と、前記第２プラグコネクタ２２の電線及び前記第２ソケットコネクタ２３の電線と、は、前記第１貫通孔１１１０及び前記ベース貫通孔３１４と、前記第２貫通孔２１１０及び前記ベース貫通孔３１４と、それぞれを通ってスロット３１７まで案内されて送られ、ベースプラグコネクタ３２の電線（図示せず）と一緒に、スロット３１７に収納され、ケーブル４に電気接続する。一方及び他方の一対の当接部３１６は、第１プラグコネクタ１２と、第２プラグコネクタ２２と、に当接する。前記一対の阻止部３１５は、前記第１プラグコネクタ１２及び前記第２プラグコネクタ２２が下へ向かって回転することを阻止する。
【００１４】
前記ベースプラグコネクタ３２と、前記第１プラグコネクタ１２と、前記第１ソケットコネクタ１３と、前記第２プラグコネクタ２２と、前記第２ソケットコネクタ２３と、はそれぞれ、前記複数の電線によって、前記ケーブル４と電気接続し、並列回路を構成する。
【００１５】
図５及び図６を参照すると、第１プラグ１或いは第２プラグ２を使用する時、第１プラグコネクタ１２或いは第２プラグコネクタ２２は、上向きに回転する。阻止部３１５によって、第１プラグコネクタ１２或いは第２プラグコネクタ２２は、過度の回転が阻止される。
【００１６】
本実施形態において、前記ベースプラグコネクタ３２がＩ／Ｏ（Ｉｎｐｕｔ／Ｏｕｔｐｕｔ）コネクタであり、前記第１プラグコネクタ１２がＭｉｃｒｏ  ＵＳＢプラグであり、前記第１ソケットコネクタ１３がＭｉｃｒｏ  ＵＳＢソケットであり、前記第２プラグコネクタ２２が、Ｍｉｎｉ  ＵＳＢプラグであり、前記第２ソケットコネクタ２３が、Ｍｉｎｉ  ＵＳＢソケットである。他の実施形態において、前記第１プラグコネクタ１２がＭｉｃｒｏ  ＵＳＢプラグであり、前記第１ソケットコネクタ１３がＭｉｎｉ  ＵＳＢソケットであり、前記第２プラグコネクタ２２が、Ｍｉｎｉ  ＵＳＢプラグであり、前記第２ソケットコネクタ２３が、Ｍｉｃｒｏ  ＵＳＢソケットである。別の実施形態において、前記ベースプラグコネクタ３２と、前記第１プラグコネクタ１２と、前記第１ソケットコネクタ１３と、前記第２プラグコネクタ２２と、前記第２ソケットコネクタ２３と、は、他のタイプのコネクタである。
【００１７】
本発明の複合式プラグ１００の第１或いは第２ソケットコネクタ１３、２３が他のデータ線のプラグと係合できることによって、伝送距離は増加される。前記ベースプラグコネクタ３２と、前記第１プラグコネクタ１２と、第１ソケットコネクタ１３と、前記第２プラグコネクタ２２と、前記第２ソケットコネクタ２３と、は、並列回路を構成する。これにより、これらのコネクタのうちの任意の二つ或いは複数のコネクタが使用できる。
【００１８】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１９】
１００  複合式プラグ
１  第１プラグ
１１  第１絶縁性本体
１１１  第１柱状体
１１１０  第１貫通孔
１２  第１プラグコネクタ
１３  第１ソケットコネクタ
２  第２プラグ
２１  第２絶縁性本体
２１１  第２柱状体
２１１０  第２貫通孔
２２  第２プラグコネクタ
２３  第２ソケットコネクタ
３  ベースプラグ
３１  ベース絶縁性本体
３１０  収納スペース
３１０１  収納溝
３１１  首部
３１２  尾部
３１３  連結部
３１４  ベース貫通孔
３１５  阻止部
３１６  当接部
３１７  スロット
３２  ベースプラグコネクタ
３３  上ハウジング
３４  下ハウジング
４  ケーブル
【図１】
2014082212.tif 000003
【図２】
2014082212.tif 000004
【図３】
2014082212.tif 000005
【図４】
2014082212.tif 000006
【図５】
2014082212.tif 000007
【図６】
2014082212.tif 000008